(57)【要約】【課題】本考案は、医師が対極板付き電気メスを取り扱う際の操作性の向上を図るとともに、断線の際の警報手段を充実させ、かつ使用中における出力指示音の発生を適切に行えるようにすることを課題とする。【解決手段】交流電源１に電源側リレースイッチ22ａおよび変圧器２を介し接続された主回路Ａには５極真空管３および発振コイル４が接続されており、発振コイル４には手術側リレースイッチ５ａ，６ａ，７ａを介しモノポーラ端子５，バイポーラ端子６および対極板用端子７が接続される。交流電源１に変圧器２ａを介し接続された制御用副回路Ｂには、上記の電源側リレースイッチ22ａおよび手術側リレースイッチ５ａ，６ａ，７ａをそれぞれ自動制御しうる第１制御用リレースイッチ22ｂおよび第２制御用リレースイッチ25が介装される。さらに副回路Ｂには、断線警報用の発光ダイオード26とブザー27とが介装され、ブザー27は低音の出力指示用ブザーを兼ねる。【選択図】  図１
0003111214.tif 000002
【実用新案登録請求の範囲】
【請求項１】
交流電源から主電圧調整手段ならびに真空管および発振コイルを介して得られる高周波電圧をリレースイッチを介して手術用プローブおよび対極板へ印加する主回路を備えた電気メスにおいて、上記交流電源と上記主電圧調整手段との間に介挿される電源側リレースイッチと、上記発振コイルと上記の手術用プローブおよび対極板との間にそれぞれ介挿される手術側リレースイッチとを備え、上記交流電源に副電圧調整手段およびブリッジダイオード型整流器を介し接続された制御用副回路において、上記電源側リレースイッチの自動開閉制御を行うための第１制御用リレースイッチと、上記手術側リレースイッチの自動開閉制御を行うための第２制御用リレースイッチとが、三端子安定器と共に介装されていることを特徴とする、対極板付き電気メス。
【請求項２】
上記制御用副回路において、上記の第１制御用リレースイッチおよび第２制御用リレースイッチに、それぞれ逆流防止用ダイオードトランジスターが並設されていることを特徴とする、請求項１に記載の対極板付き電気メス。
【請求項３】
上記制御用副回路において、上記主回路で断線を生じた際に作動する警報用モニターランプとしての発光ダイオードと警報用ブザーとが介装されていることを特徴とする、請求項１または２に記載の対極板付き電気メス。
【請求項４】
上記警報用ブザーが、同ブザーの発生しうる警報音よりも音量の低い出力指示音を発生する出力指示用ブザーを兼ねていることを特徴とする、請求項３に記載の対極板付き電気メス。
【考案の詳細な説明】
【技術分野】
【０００１】
本考案は、人体の手術部分の反対側に対極板をあてがうようにした対極板付き電気メスに関し、特に電気回路中に真空管を具えるようにした対極板付き電気メスに関する。
【背景技術】
【０００２】
一般に、対極板付き電気メスでは、図３に示すように、高周波電源部を含む主装置Ｍの出力端子ａに、モノポーラまたはバイポーラとしての電極部材ｂを装着されたプローブｃが接続されるとともに、生体Ｐの患部ｄの反対側の面には対極板ｅがあてがわれて、同対極板ｅは主装置Ｍの対極板用端子ｆに接続されるようになっている。
【０００３】
このような従来の対極板付き電気メスでは、その主装置Ｍに、図２に示すような電気回路が組込まれており、その主回路Ａにおいて、ＡＣ１００Ｖ（５０／６０Ｈｚ）の交流電源１から主電圧調整手段としての変圧器２ならびに真空管（５極管）３および発振コイル４を介して得られる高周波電圧を、手動式のロータリースイッチＳ１，Ｓ２，Ｓ３を介して、手術用のプローブにおけるモノポーラ端子５やバイポーラ端子６，対極板用端子７へ印加したり、その接続を切換えたりする操作が行われるようになっている。
【０００４】
また、電源１に副電圧調整手段としての変圧器２ａおよびブリッジダイオード型整流器10を介して接続された副回路Ｂには、警報用ブザー13およびモニターランプとしての発光ダイオード14が介装されている。
【０００５】
ところで、上述のような従来の対極板付き電気メスでは、手動式のロータリースイッチＳ１，Ｓ２，Ｓ３が装備されているため、使用時において面倒な操作を必要とし、また使用中の状態を示す出力指示用ブザーについては対策が施されていない。
【特許文献１】特開平９−６６０５８号公報
【考案の開示】
【考案が解決しようとする課題】
【０００６】
本考案が解決しようとする課題は、医師が対極板付き電気メスを取り扱う際の操作性の向上を図るとともに、断線の際の警報手段を充実させ、かつ使用中における出力指示音の発生を適切に行えるようにすることにある。
【課題を解決するための手段】
【０００７】
前述の課題を解決するため、本考案の対極板付き電気メスは、交流電源から主電圧調整手段ならびに真空管および発振コイルを介して得られる高周波電圧をリレースイッチを介して手術用プローブおよび対極板へ印加する主回路を備えた電気メスにおいて、上記交流電源と上記主電圧調整手段との間に介挿される電源側リレースイッチと、上記発振コイルと上記の手術用プローブおよび対極板との間にそれぞれ介挿される手術側リレースイッチとを備え、上記交流電源に副電圧調整手段およびブリッジダイオード型整流器を介し接続された制御用副回路において、上記電源側リレースイッチの自動開閉制御を行うための第１制御用リレースイッチと、上記手術側リレースイッチの自動開閉制御を行うための第２制御用リレースイッチとが、三端子安定器と共に介装されていることを特徴としている。      
【０００８】
また、本考案の対極板付き電気メスは、上記制御用副回路において、上記の第１制御用リレースイッチおよび第２制御用リレースイッチに、それぞれ逆流防止用ダイオードトランジスターが並設されていることを特徴としている。
【０００９】
さらに、本考案の対極板付き電気メスは、上記制御用副回路において、上記主回路で断線を生じた際に作動する警報用モニターランプとしての発光ダイオードと警報用ブザーとが介装されていることを特徴としている。
【００１０】
また、本考案の対極板付き電気メスは、上記警報用ブザーが、同ブザーの発生しうる警報音よりも音量の低い出力指示音を発生する出力指示用ブザーを兼ねていることを特徴としている。
【考案の効果】
【００１１】
上述の本考案の対極板付き電気メスでは、交流電源と主回路における主電圧調整手段との間に介装された電源側リレースイッチが、制御用副回路における第１制御用リレースイッチに連動して自動的に且つ的確に開閉制御され、また主回路において発振コイルと手術用プローブおよび対極板との間に介装された手術側リレースイッチも、上記制御用副回路における第２制御用リレースイッチに連動して自動的に且つ的確に開閉制御されるので、医師にとって必要とされる操作が著しく軽減されるようになる。
【００１２】
また、上記制御用副回路において、上記の第１制御用リレースイッチおよび第２制御用リレースイッチに、それぞれ逆流防止用ダイオードトランジスターが並設されることにより、上記の各リレースイッチにおける作動の信頼性が著しく高められるようになる。
【００１３】
さらに、上記制御用副回路において、上記主回路で断線を生じた際に作動する警報用モニターランプとしての発光ダイオードと警報用ブザーとが介装されていると、断線状態が医師に対して的確に報知されるので、安全対策を迅速に施すことが可能になる。
【００１４】
また、上記制御用副回路における上記警報用ブザーが、同ブザーの発生しうる警報音よりも音量の低い出力指示音を発生する出力指示用ブザーを兼ねていると、装置全体としての簡素化を図りながら、使用時には上記ブザーからの耳障りの少ない低温量の出力指示音により装置の作動状態を確認することができ、医師は安心して本装置による手術を続行することができる。
【考案を実施するための最良の形態】
【００１５】
本考案の対極板付き電気メスは、その手術の目的に合わせて、できるだけ高周波電圧によるアーク放電を抑えるようにしながらジュール熱のみの利用を図り、そのための高周波出力電圧を２００Ω負荷時でピーク電圧３５０Ｖ，実行電圧１８０Ｖ程度とし、一般の電気メスの１／１０程度とされる。これにより、放電に伴う炭化焼灼の少ない、組織変性の無い切開や、白くボイル状の止血凝固が行われるようになる。そこで低電圧の高周波で切開凝固に必要な十分な電流を人体に通すため、人体の比抵抗を少なくするように、一般の電気メスよりも著しく高い周波数６.０５ＭＨｚが用いられる。
【実施例】
【００１６】
図１は本考案の一実施例としての対極板付き電気メスの主装置に組込まれた電気回路を示しており、ＡＣ１００Ｖで５０／６０Ｈｚの交流電源１から電源側リレースイッチ22ａおよび主電圧調整手段としての変圧器２を介し接続された主回路Ａにおいて、５極真空管３および発振コイル４を介して得られる高周波電圧が、手術用プローブのためのモノポーラ端子５やバイポーラ端子６ならびに対極板用端子７へ印加されたり、その接続が切換えられたりできるように、４組のリレースイッチ５ａ，６ａ，７ａ，７ｂが設けられている。
【００１７】
また、交流電源１から副電圧調整手段としての変圧器２ａおよびブリッジダイオード型整流器10ならびに直流変換用の平滑回路10ａを介し接続された制御用回路Ｂには、主回路Ａのための電源側リレースイッチ22ａの自動開閉制御を行えるように、第１制御用リレースイッチ22ｂが設けられるとともに、同スイッチ22ｂのための逆流防止用ダイオードトランジスター22ｂ−１が並設されている。
【００１８】
さらに、制御用副回路Ｂには、主回路Ａにおけるリレースイッチ５ａ，６ａ，７ａの自動開閉制御を行うための第２制御用リレースイッチ25が設けられるともに、同スイッチ25のための逆流防止用ダイオードトランジスター25−１が並設されている。なお、主回路Ａにおける手術側のリレースイッチ７ｂは、後述のブザー27の停止を自動的に行うためのものである。
【００１９】
また、制御用副回路Ｂには、断線を報知するため、警報用モニターランプとしての発光ダイオード26と警報用ブザー27とが設けられており、ブザー27は、警報時には音量を大きくし、出力指示用としては音量を小さくできるように結線されている。
なお、図１における符号30は、ネオン表示ランプを示している。
【００２０】
また、制御用副回路Ｂにおいて、第１制御用リレースイッチ22ｂおよび第２制御用リレースイッチ25は、三端子安定器31と共に介装されている。
【００２１】
上述の本実施例の対極板付き電気メスでは、交流電源１と主回路Ａにおける主電圧調整手段２との間に介装された電源側リレースイッチ22ａが、制御用副回路Ｂにおける第１制御用リレースイッチ22ｂに連動して自動的に且つ的確に開閉制御され、また主回路Ａにおいて発振コイル４と手術用プローブおよび対極板との間に介装された手術側リレースイッチ５ａ，６ａ，７ａも、制御用副回路Ｂにおける第２制御用リレースイッチ25に連動して自動的に且つ的確に開閉制御されるので、医師にとって必要とされる操作が著しく軽減されるようになる。
【００２２】
また、制御用副回路Ｂにおいて、第１制御用リレースイッチ22ｂおよび第２制御用リレースイッチ25に、それぞれ逆流防止用ダイオードトランジスター22ｂ−１，25−１が並設されることにより、上記の各リレースイッチ22ｂ，25における作動の信頼性が著しく高められるようになる。
【００２３】
さらに、制御用副回路Ｂにおいて、主回路Ａで断線を生じた際に作動する警報用モニターランプとしての発光ダイオード26と警報用ブザー27とが介装されているので、断線状態が医師に対して的確に報知され、安全対策を迅速に施すことが可能になる。
【００２４】
また、制御用副回路Ｂにおける警報用ブザー27が、同ブザーの発生しうる警報音よりも音量の低い出力指示音を発生する出力指示用ブザーを兼ねているので、装置全体としての簡素化を図りながら、使用時にはブザー27からの耳障りの少ない低音量の出力指示音により装置の作動状態を確認することができ、医師は安心して本装置による手術を続行することができる。
【図面の簡単な説明】
【００２５】
【図１】本考案の一実施例としての対極板付き電気メスの電気配線図である。
【図２】従来の対極板付き電気メスの一例を示す電気配線図である。
【図３】電気メスの使用状態を示す説明図である。
【符号の説明】
【００２６】
１  交流電源
２  変圧器（主電圧調整手段）
２ａ  変圧器（副電圧調整手段）
３  真空管
４  発振コイル
５  モノポーラ端子
５ａ  リレースイッチ
６  バイポーラ端子
６ａ  リレースイッチ
７  対極板用端子
７ａ，７ｂ  リレースイッチ
10  ブリッジダイオード型整流器
10ａ  平滑回路
13  ブザー
14  発光ダイオード
22ａ  電源側リレースイッチ
22ｂ  第１制御用リレースイッチ
22ｂ−１  逆流防止用ダイオードトランジスター
25  第２制御用リレースイッチ
25−１  逆流防止用ダイオードトランジスター
26  発光ダイオード（モニターランプ）
27  ブザー
30  ネオン表示ランプ
31  三端子安定器
Ａ  主回路
Ｂ  副回路
Ｍ  主装置
Ｐ  人体
Ｓ１，Ｓ２，Ｓ３  ロータリースイッチ
ａ  出力端子
ｂ  電極部材
ｃ  プローブ
ｄ  患部
ｅ  対極板
【図１】
0003111214.tif 000003
【図２】
0003111214.tif 000004
【図３】
0003111214.tif 000005